(57)【要約】      （修正有）【課題】アンプルに収容した薬液を、少量ずつ広い範囲に投与することができる無針注射器を提供する。【解決手段】第１の原位置Ｘ１からケーシング１の他端部１ｂ方向へ往動させたピストン４を、第１の原位置Ｘ１方向へ復動させる第１のばね６と、ピストン４の往動及び復動に追従して往動及び復動するリボルバー８１と、リボルバー８１を一定角度ずつ回動させる回動駆動機構９０とを備える。リボルバー８１は、螺旋階段状の複数の段部８７によって、アンプルＡのプランジャーロッドＡ２の端面を順次押圧して、当該プランジャーロッドＡ２をアンプルＡ内に間欠的に押し込む。【選択図】図１
2020179038.tif 000002
【特許請求の範囲】
【請求項１】
一端側がアンプルから突出しているプランジャーロッドを、アンプル内に押し込むことにより、アンプルに収容した薬液を、アンプルの先端から噴射させる無針注射器であって、
筒状のケーシングと、
前記ケーシングの一端部に設けられ、前記プランジャーロッドの一端側を前記ケーシングの内部に導入した状態で、前記アンプルを取り付けるアンプル取着部と、
軸線をケーシングの軸線に沿わせた状態で当該ケーシングの内部に設けられたシリンダと、
前記シリンダの内部に挿入され、当該シリンダの軸方向に沿って往復移動可能なピストンと、
前記ピストンを、第１の原位置から前記ケーシングの他端部方向へ一定ストローク往動させるピストン往動機構と、
前記ピストン往動機構によって往動された前記ピストンを、前記第１の原位置に復動させる第１のばねと、
前記ピストンを、往動された位置にロックし、このロックを解除すると、前記ピストンが第１の原位置に復動するのを許容するロック機構と、
前記ピストンが復動する毎に、前記プランジャーロッドを一定ストロークずつ間欠的にアンプル内に押し込む押し込み機構と、を備える無針注射器。
【請求項２】
前記押し込み機構は、
前記シリンダの内部に往復移動可能に挿入され、前記ピストンの往動に伴って第２の原位置からケーシングの他端部方向へ一定ストローク往動し、前記ピストンの復動に伴って前記第２の原位置へ復動するリボルバーと、
前記リボルバーが所定ストローク往動した状態で、当該リボルバーを一定角度ずつ回動させる回動駆動機構と、を備え、
前記リボルバーは、前記回動駆動機構によって一定角度ずつ回動する毎に、前記ケーシングの内部に導入されたプランジャーロッドの端面を順次押圧して、当該プランジャーロッドをアンプル内に間欠的に押し込む複数の押圧部を有する請求項１記載の無針注射器。
【請求項３】
前記複数の押圧部は、螺旋階段状に配置した複数の段部からなる請求項２に記載の無針注射器。
【請求項４】
前記回動駆動機構は、
前記ケーシングの内部に設けられ、前記一定角度毎に複数のラチェット歯を有するラチェット歯車と、前記ラチェット歯に噛み合うラチェット爪とを備えるラチェット機構と、
前記ラチェット歯車を、ケーシングの外部から一定角度ずつ回動させるラチェット操作部と、を備える請求項２又は請求項３に記載の無針注射器。
【請求項５】
前記ラチェット歯車が、リボルバーに形成されている請求項４に記載の無針注射器。
【請求項６】
前記ラチェット操作部は、
一部がケーシングの外部に露出するリセットブロックと、前記リセットブロックをケーシングの内部に押し込む毎に、前記ラチェット歯車を一定角度ずつ回動させるラチェットレバーとを有する請求項４又は請求項５に記載の無針注射器。
【請求項７】
前記ピストン往動機構は、前記リセットブロックをケーシングの内部に押し込む動作を、前記ピストンを往動させる動作に変換するカム機構を有する請求項６に記載の無針注射器。
【発明の詳細な説明】
【技術分野】
【０００１】
この発明は、美容用、医療用等に用いられる無針注射器に関する。
【背景技術】
【０００２】
従来、アンプルに収容した薬液を、注射針を用いることなく皮下組織層等に投与することができる無針注射器が提供されている（例えば特許文献１参照）。
この無針注射器は、例えば図６に示すように、ケーシング１００と、このケーシング１００の内部に設けられたシリンダ１０１と、このシリンダ１０１の内部を往復移動可能なピストン１０２と、このピストン１０２を一方向へ向けて付勢する圧縮コイルバネ１０３と、圧縮コイルバネ１０３を圧縮した状態で前記ピストン１０２がアンプルＡ方向へ移動するのを規制するための図示しないロック機構とを備えている。
【０００３】
アンプルＡには、薬液を噴射させるためのプランジャー１０４が設けられており、そのプランジャーロッド１０５は、アンプルＡの内部からピストン１０２側に突出している。このアンプルＡは、ケーシング１００の一端部に取り付けて使用される。
この無針注射器によれば、予めピストン１０２を、圧縮コイルバネ１０３の付勢力に抗して移動（往動）させ、ロック機構によりピストン１０２の移動をロックした状態で、ピストン１０２のロックを解除すると、圧縮コイルバネ１０３の付勢力により、ピストン１０２を弾撥的に復動させることができ、これにより、プランジャーロッド１０５をアンプルＡ内に押し込んで、アンプルＡ内の薬液を噴射させることができる。
【先行技術文献】
【特許文献】
【０００４】
【特許文献１】特開２００５−８０８３２号公報
【発明の概要】
【発明が解決しようとする課題】
【０００５】
前記した従来の無針注射器は、ピストン１０２を圧縮コイルバネ１０３によって、復動端まで一気に移動させるものであるので、アンプルＡに収容された薬液は、皮下組織層等への１回の投与で全て使い切ってしまうことになる。ところが、薬液を投与する部位によっては、薬液を少量ずつ広い範囲に繰り返し投与する場合がある。しかし、前記従来の無針注射器では、このような用途には適用することができないという問題がある。
この発明は、前記問題点に鑑みてなされたものであり、アンプルに収容した薬液を、少量ずつ広い範囲に投与することができる無針注射器を提供することを目的とする。
【０００６】
この発明に係る無針注射器は、一端側がアンプルから突出しているプランジャーロッドを、アンプル内に押し込むことにより、アンプルに収容した薬液を、アンプルの先端から噴射させる無針注射器であって、
筒状のケーシングと、
前記ケーシングの一端部に設けられ、前記プランジャーロッドの一端側を前記ケーシングの内部に導入した状態で、前記アンプルを取り付けるアンプル取着部と、
軸線をケーシングの軸線に沿わせた状態で当該ケーシングの内部に設けられたシリンダと、
前記シリンダの内部に挿入され、当該シリンダの軸方向に沿って往復移動可能なピストンと、
前記ピストンを、第１の原位置から前記ケーシングの他端部方向へ一定ストローク往動させるピストン往動機構と、
前記ピストン往動機構によって往動された前記ピストンを、前記第１の原位置に復動させる第１のばねと、
前記ピストンを、往動された位置にロックし、このロックを解除すると、前記ピストンが第１の原位置に復動するのを許容するロック機構と、
前記ピストンが復動する毎に、前記プランジャーロッドを一定ストロークずつ間欠的にアンプル内に押し込む押し込み機構と、を備えている。
【０００７】
前記無針注射器によれば、アンプル取着部にアンプルを取り付けた状態で、ピストン往動機構によって、第１のばねの付勢力に抗してピストンを第１の原位置からケーシングの他端部方向へ一定ストローク往動させ、ロック機構によって、ピストンを前記一定ストローク往動させた位置にロックすることができる。
【０００８】
この状態で、ピストンのロックを解除すると、第１のばねの付勢力によって、ピストンを第１の原位置へ復動させることができる。このピストンが復動する毎に、押し込み機構は、プランジャーロッドを一定ストロークずつ間欠的にアンプル内に押し込むことができる。これにより、アンプルに収容された薬液を少量ずつ繰り返し投与することができる。
【０００９】
前記押し込み機構は、
前記シリンダの内部に往復移動可能に挿入され、前記ピストンの往動に伴って第２の原位置からケーシングの他端部方向へ一定ストローク往動し、前記ピストンの復動に伴って前記第２の原位置へ復動するリボルバーと、
前記リボルバーが所定ストローク往動した状態で、当該リボルバーを一定角度ずつ回動させる回動駆動機構と、を備え、
前記リボルバーは、前記回動駆動機構によって一定角度ずつ回動する毎に、前記ケーシングの内部に導入されたプランジャーロッドの端面を順次押圧して、当該プランジャーロッドをアンプル内に間欠的に押し込む複数の押圧部を有するのが好ましい。
【００１０】
この場合、前記ピストンの往動に伴って、リボルバーを第２の原位置から往動させることができる。また、前記ピストンの復動に伴って、往動させたリボルバーを、第２の原位置へ復動させることができる。このリボルバーの復動により、プランジャーロッドの端面に対向する押圧部によって、プランジャーロッドを一定ストロークアンプル内に押し込むことができる。
【００１１】
次に、前記リボルバーが所定ストローク往動した状態で、回動駆動機構により、当該リボルバーを一定角度回動させることができる。これにより、前記プランジャーロッドの端面に対向する押圧部を、これに隣接する押圧部に切り換えることができる。
以後、前記動作を繰り返すことにより、前記プランジャーロッドをアンプル内に間欠的に押し込むことができる。
【００１２】
前記複数の押圧部は、螺旋階段状に配置した複数の段部からなるのが好ましい。
この場合、前記複数の押圧部をリボルバー簡単に構成することができる。
【００１３】
前記回動駆動機構は、
前記ケーシングの内部に設けられ、前記一定角度毎に複数のラチェット歯を有するラチェット歯車と、前記ラチェット歯に噛み合うラチェット爪とを備えるラチェット機構と、
前記ラチェット歯車を、ケーシングの外部から一定角度ずつ回動させるラチェット操作部と、を備えるのが好ましい。
【００１４】
この場合、ラチェット操作部によって、前記ラチェット歯車をケーシングの外部から一定角度ずつ回動させることができ、これにより、前記ケーシング内に導入されたプランジャーロッドの端面と対向する押圧部を、順次切り換えることができる。
このため、前記押圧部の切り換えを簡単に行うことができる。
【００１５】
前記ラチェット歯車は、リボルバーに形成されているのが好ましい。
この場合、前記ラチェット歯車を回動させると同時に、リボルバーも回動させることができるので、両者を連動させる機構が不要となる。このため、前記回動駆動機構の構造を簡素化することができる。
【００１６】
前記ラチェット操作部は、一部がケーシングの外部に露出するリセットブロックと、前記リセットブロックをケーシングの内部に押し込む毎に、前記ラチェット歯車を一定角度ずつ回動させるラチェットレバーとを有するのが好ましい。
この場合、前記リセットブロックをケーシングの内部に押し込む毎に、ラチェットレバーを介して前記ラチェット歯車を一定角度ずつ回動させることができるので、ラチェット歯車を繰り返し容易に回動させることができる。
【００１７】
前記ピストン往動機構は、前記リセットブロックをケーシングの内部に押し込む動作を、前記ピストンを往動させる動作に変換するカム機構を有するのが好ましい。
この場合、前記リセットブロックをケーシングの内部に押し込むだけで、前記カム機構によりシリンダを往動させることができるので、前記シリンダを容易に往動させることができると共に、ピストン往動機構の構造を簡素化することができる。
【発明の効果】
【００１８】
この発明の無針注射器によれば、アンプルに収容した薬液を、少量ずつ広い範囲に投与することができる。
【図面の簡単な説明】
【００１９】
【図１】この発明に係る無針注射器の一実施形態を示す断面図である。
【図２】ピストン及びリボルバーを往動させた状態を示す断面図である。
【図３】リボルバーを示す斜視図である。
【図４】押し込み機構を示す図１のａ−ａ拡大断面図である。
【図５】ロック機構を示す断面図である。
【図６】従来例を示す断面図である。
【発明を実施するための形態】
【００２０】
以下、図面を参照しつつ、この発明の実施形態を説明する。
図１はこの発明に係る無針注射器の一実施形態を示す断面図である。この無針注射器は、アンプルＡに収容した薬液を、アンプルＡの先端のノズル（オリフェス）から噴射させるものである。
アンプルＡには、その先端のノズルから薬液を噴射させるためのプランジャーＡ１が設けられている。このプランジャーＡ１は、筒状のケーシング１の内部に導入されている。
【００２１】
無針注射器は、ケーシング１の一端部１ａにアンプルＡを取り付けるためのアンプル取着部２と、軸線をケーシング１の軸線に沿わせた状態で、当該ケーシング１内に設けられたシリンダ３と、シリンダ３の内部に当該シリンダ３の軸線に沿って往復移動可能に挿入されたピストン４と、ピストン４を、第１の原位置Ｘ１から、一定ストロークだけケーシング１の他端部１ｂ方向へ往動させるピストン往動機構５と、往動されたピストン４を第１の原位置Ｘ１に復動させる第１のばね６と、ピストン４が往動した位置（往動端）から復動するのを規制するロック機構７と、ピストン４の復動毎に、プランジャーロッドＡ２を一定ストロークずつ間欠的にアンプルＡ内に押し込む押し込み機構８とを備えている。
なお、第１の原位置Ｘ１とは、ピストン４の図１において左端面４１ａが、ケーシングの一端部１ａ側へ最も移動した位置（復動端）である。
【００２２】
ケーシング１は、断面形状が多角形の異形形状のものであり、その外周を片手で握ることができる大きさである。ケーシングの一端部１ａには、アンプルＡの後端部（図１の右端部）とプランジャーロッドＡ２とをケーシング１の内部に導入するための開孔１２が設けられている。ケーシング１は合成樹脂製のものである。
【００２３】
ケーシング１の一端部１ａの内部には、合成樹脂製の板状のブロック２１が設けられており、このブロック２１に、アンプル取着部２が形成されている。アンプル取着部２は、ケーシング１の開孔１２に臨ませた状態で、ブロック２１に形成された雌ねじ２２と、この雌ねじの内奥部に形成された開孔２３とを有している。雌ねじ２２はアンプルＡの後端部の雄ねじＡ３をねじ込んでアンプルＡを固定するものであり、開孔２３はアンプルＡのプランジャーロッドＡ２をケーシング１の内部に導入するためのものである。
【００２４】
シリンダ３は、ケーシング１の内部の一端部１ａ付近から他端部１ｂ付近にかけて設けられた筒状のものであり、その外周の断面形状は、ケーシング１の内周面と合致する異形形状である。前記シリンダ３は、ケーシング１の他端部１ｂ側に、第１のシリンダ部３１を有しており、ケーシングの一端部１ａ側に、第２のシリンダ部３２を有している。
【００２５】
ピストン４は、角柱状の本体部４１と、この本体部４１の図１において左端面４１ａからアンプル取着部２方向に延びる棒状の突出部４２と、本体部４１の右端面４１ｂからケーシング１の他端部１ｂ方向に延びる棒状のばねガイド４１ｃとを有している。この突出部４２は、プランジャーロッドＡ２に対応させて、ピストン４の図１において上部のみに設けられている。ピストン４は第１のシリンダ部３１に往復移動可能に挿入されている。また、ピストン４は合成樹脂又は金属で形成されている。なお、第２のシリンダ３２の内周の断面形状は、ピストン４の本体部４１の外周に合致する角形形状である。
【００２６】
第１のばね６は、圧縮コイルばねからなり、ピストン４の本体部４１の図１において右端面４１ｂと、ケーシング１内の他端部１ｂに設けられたばね受け部１４との間に、常時圧縮させた状態で介在している。ばね受け部１４は、ケーシング１内の他端部１ｂ近傍に設けられた合成樹脂製のブロック１４ａに保持されている。第１のばね６の内周には、ピストン４に設けられたばねガイド４１ｃが挿入されており、このばねガイド４１ｃによって第１のばね６がガイド（保持）されている。
【００２７】
押し込み機構８は、第２のシリンダ３２の内部に往復移動可能に挿入されたリボルバー８１と、リボルバー８１を第２の原位置Ｘ２からケーシング１の他端部１ｂ方向へ往動させる第２のばね８２と、リボルバー８１を一定角度ずつ回動させる回動駆動機構９０とを備えている。
なお、第２の原位置Ｘ２とは、リボルバー８１の軸８４の図１において左端面８４ａがブロック２１に突き当たった位置である。
【００２８】
リボルバー８１は、ピストン４の往動に伴って、第２の原位置Ｘ２からケーシング１の他端部１ｂ方向へ一定ストローク往動し（図２参照）、前記ピストン４の復動に伴って、第２の原位置Ｘ２へ復動する（図１参照）。
図３も参照して、リボルバー８１は、前記軸８４と、この軸８４の左端面８４ａ寄りに当該軸８４と同芯に設けられた柱状部８５と、軸８４の右端面８４ｂ側に設けられたラチェット歯車８６とを有している。
柱状部８５は軸８４よりも大径であり、この柱状部８５と、軸８４の右端面８４ｂ側とは、第２のシリンダ部３２に、ケーシング１の軸方向に沿って往復移動可能に挿入されている。
【００２９】
柱状部８５の図１において左端８５ａ側には、押圧部としての複数の段部８７が、ブロック２１に対向させた状態で設けられている。複数の段部８７は、リボルバー８１の軸心を中心とする同芯円上に、柱状部８５の周方向に沿って等間隔に設けられている。
各段部８７は、隣接する段部８７に対して軸方向に所定長さ（段差）Ｌずつ、柱状部８５の図１において右端面８５ｂ側に、段階的にずれている。つまり、複数の段部８７は、螺旋階段状に設けられている。
【００３０】
リボルバー８１は、１本のアンプルＡ毎に、矢印Ｄで示す方向、つまりケーシング１の一端部１ａ側から見て時計回り方向に１回転され、この１回転で、全ての段部８７が、プランジャーロッドＡ２の端面に順次対向する。
なお、リボルバー８１の往動ストロークは、リボルバー８１の回動時にプランジャーロッドＡ２と段部８７とが干渉しないように、互いに隣接する段部８７の段差Ｌよりも長くなっている。このリボルバー８１の往動ストロークに対して、ピストン４の往動ストロークはさらに長くなっている。
【００３１】
アンプルＡをアンプル取着部２に取り付ける前において、リボルバー８１は、第２の原位置Ｘ２に移動させた状態で、リボルバー８１の段部８７のうちの、軸８４の軸方向において、当該軸８４の左端面８４ａから最も近い段部８７（以下「第１の段部８７ａ」という）を、アンプル取着部２に対向させておく。これにより、プランジャーロッドＡ２をケーシング１内に最後まで導入できる。
【００３２】
第１の段部８７ａがアンプル取着部２に対向しているか否かは、例えば、リボルバー８１に目印を付して、この目印をケーシング１の外から目視することにより確認することができる。
なお、以下の説明において、リボルバー８１の各段部８７のうちの、第１の段部８７ａに隣接し、軸８４の軸方向において、当該軸８４の左端面８４ａから最も遠い段部８７を、「第２の段部」という。
【００３３】
本実施形態において、段部８７は１０個形成されている。このため、本実施形態において、リボルバー８１は、回動駆動機構９０によって３６度ずつ１０回ほど回動操作され、この１０回の回動操作により、アンプルＡ内の薬液を使い切るように、隣接する段部８７の段差Ｌが設定されている。本実施形態においては、段差Ｌは３ｍｍ程度に設定されている。
【００３４】
軸８４の左端面８４ａ側には、軸８４の右端面８４ｂ方向に延びるばね孔８４ｃが形成されている。このばね孔８４ｃは軸８４の左端面８４ａにおいて開口している。
前記第２のばね８２は、圧縮コイルバネからなり、常時弾性収縮させた状態で、ばね孔８４ｃの底部とブロック２１との間に介在している。
【００３５】
図４を参照して、回動駆動機構９０は、リボルバー８１に設けられたラチェット歯車８６と、このラチェット歯車８６の各ラチェット歯８６ａに噛み合うラチェット爪９４とを有するラチェット機構９１と、ケーシング１の外部から一定角度θずつ回動させるラチェット操作部９２とを備えている。
【００３６】
ラチェット爪９４は、ラチェット歯車８６の下方に設けられており、その先端部がラチェット歯８６ａに噛み合って、ラチェット歯車８６が図４において時計回り方向へ回動するのを規制している。
ラチェット爪９４は、図４において上下動可能であり、第４のばね９４ａによってラチェット歯車８６方向へ常時弾性的に付勢されている。したがって、ラチェット爪９４は、ラチェット歯車８６の回動に伴って一旦下方へ退避した後、上昇して、ラチェット歯８６ａに再び係合する。
【００３７】
ラチェット操作部９２は、一部がケーシング１の外部に露出するリセットブロック９３を有し、リセットブロック９３をケーシング１の内部に押し込む毎に、ラチェット歯車８６を一定角度θずつ回動させる。
リセットブロック９３は、所定間隔離れて互いに対向する一対の平板状の脚部９３ａと、この脚部９３ａの基端部どうしを繋ぐ基部９３ｂとを有する双脚状のものである。
【００３８】
リセットブロック９３は、ケーシング１の底面から両側面にかけて設けられた開口部１ｄと、シリンダ３の図示しない開口部とを通してケーシング１内に導入されており、その基部９３ｂ側の所定範囲が、ケーシング１の外部に露出している。また、リセットブロック９３の脚部９３ａは、リセットブロック９３をケーシング１の内部に押し込めるように、ケーシング１内に、図４において上下動可能に設けられている。
【００３９】
リセットブロック９３の基部９３ｂとシリンダ３との間には、第３のばね９３ｉを介在しており（図１参照）、この第３のばね９３ｉの付勢力により、ケーシング１内に押し込んだリセットブロック９３を（図２参照）、元の位置に押し戻すことができる。
なお、リセットブロック９３を第３のばね９３ｉの付勢力に抗してケーシング１の内部に押し込むには、片方の手でケーシング１を握り、この片方の手の指をリセットブロック９３の基部９３ｂに引っ掛けて、当該指で基部９３ｂをケーシング１内に押し込めばよい。このように、片手による操作でリセットブロック９３をケーシング１内に押し込むことができるので、その操作を容易に行うことができる。
【００４０】
一対の脚部９３ａの相互間には、リボルバー８１の軸８４に形成したラチェット歯車８６が導入されている。ラチェット歯車８６とリセットブロック９３とは、ケーシング１の軸方向に相対移動可能である。
脚部９３ａの一方（図４において右側）には、ラチェット歯車８６を一定角度θずつ回動させるためのラチェットレバー９１ａが設けられている。このラチェットレバー９１ａは、一方の脚部９３ａに設けられた凹溝９３ｅ内に配置されている。ラチェットレバー９１ａの基端部９３ｆは、ラチェットレバー９１ａがラチェット歯車８６方向へ回動できるように、脚部９３ａに回動可能に支持されている。このラチェットレバー９１ａは、凹溝９３ｅ内に設けられた板ばね９１ｃによって、ラチェット歯車８６方向へ常時弾性的に回動付勢されている。
【００４１】
前記した回動駆動機構９０によれば、リセットブロック９３の基部９３ｂ部分を押圧して、ケーシング１内に押し込むと、リセットブロック９３とともにラチェットレバー９１ａが上昇し、ある程度上昇した時点で、ラチェットレバー９１ａの先端部がラチェット歯８６ａに係合する。この状態で、ラチェットレバー９１ａをさらに上昇させることにより、ラチェット歯車８６を一定角度θだけ回動させることができる。このため、簡素な構造で、回動駆動機構９０を構成することができる。
なお、前記回転駆動機構９０によってラチェット歯車８６を回動させるタイミングは、リボルバー８１の回転に伴って、その段部８７とプランジャーロッドＡ２とが干渉しない位置までリボルバー８１が往動した時点に設定されている。
【００４２】
図１を参照して、ピストン往動機構５は、リセットブロック９３をケーシング１の内部に押し込む動作を、ピストン４の往動動作に変換させるカム機構５１を有する。カム機構５１は、リセットブロック９３の一対の脚部９３ａに設けられたカム面５１ａと、ピストン４に挿通されたカムピン５１ｂと、このカムピン５１ｂのケーシング１の軸方向への往復移動を案内するピンガイド５１ｃとによって構成されている。
【００４３】
カム面５１ａは、リセットブロック９３の各脚部９３ａを貫通し、かつ断面が三角形の開口部の上向きの傾斜面によって構成されている。前記開口は、図の場合直角三角形であり、カム面５１ａは、ケーシング１の軸方向に対して４５度の角度で傾斜している。
カムピン５１ｂは、各脚部９３ａの前記直角三角形の開口部及びピストン４を挿通しており、その両端部は、脚部９３ａから突出して、ピンガイド５１ｃに導入されている。
ピンガイド５１ｃは、シリンダ３の内周に設けられた長孔で構成されており、その長手方向をケーシング１の軸線に沿わせた状態で設けられている。
【００４４】
このピストン往動機構５によれば、ケーシング１が第１の原位置Ｘ１に復帰した状態で、リセットブロック９３をケーシング１内に押し込むと、カム面５１ａが上昇して、カムピン５１ｂがカム面５１ａ上を摺動しながらケーシング１の他端部１ｂ方向へ移動する。これにより、ピストン４を第１のばね６の付勢力に抗して一定ストローク往動させることができる。このため、簡素な構造でピストン４を往動させることができる。
【００４５】
図１及び図５を参照して、ロック機構７は、先端にロック爪７１ａを有するロックレバー７１と、ピストン４の突出部４２に設けられ、ロック爪７１ａと係合するロック溝７２と、ロック爪７１ａとロック溝７２との係合状態を維持する一対の第５のばね７３と、ロック溝７２とロック爪７１ａとの係合状態を解除する押しボタン７４とを備えている。
ロックレバー７１は、シリンダ３の外周に設けられた凹溝３３内に配置されており、その先端寄りに設けられたピン７１ｅを介して、凹溝３３に揺動可能に取り付けられている。
【００４６】
ロック爪７１ａは、逆三角形状のものであり、ピストン４の開口４１ｄを通して、ロック溝７２に係合可能になっている。ロック爪７１ａの図１において右側の辺部７１ｂは、ロック溝７２と係合した状態で、ピストン４が復動するのを規制する角度に設定されている。また、ロック爪７１ａの左側の辺部７１ｃは、ピストン４が往動すると、ロック溝７２の上縁により徐々に押し上げられて、ピストン４の往動を許容する角度に設定されている。
【００４７】
一対の第５のばね７３は、圧縮コイルばねであり、ロックレバー７１の後端側と、シリンダ３に設けられたばね孔７３ａとの間に、弾性収縮させた状態で介在している。したがって、ロックレバー７１は第５のばね７３によって、図１において時計回り方向へ常時付勢されている。
【００４８】
押しボタン７４は、ロックレバー７１の後端を、第５のばね７３の付勢力に抗して反時計回り方向に回動させるものである。この押しボタン７４を押し下げることにより、ロックレバー７１のロック爪７１ａとロック溝７２との係合状態を解除することができる。
【００４９】
以上の構成の無針注射器の動作は以下の通りである。
なお、以下の説明において、ピストン４が第１の原位置Ｘ１に位置し、リボルバー８１が第２の原位置Ｘ２に位置し、リボルバー８１の第１の段部８７ａがアンプル取着部２に対向し、ロック爪７１ａとロック溝７２との係合が解除された状態（図１の状態）を「初期状態」という。
【００５０】
まず、初期状態において、リセットブロック９３をケーシング１の内部に押し込むと、ピストン４が、カム機構５１を介して第１の原位置Ｘ１からケーシング１の他端部１ｂ方向に往動する。ピストン４が往動端まで往動すると、ロック機構７のロックレバー７１とロック溝７２とが係合し、ピストン４が第１の原位置Ｘ１方向へ復動するのが阻止される。
前記ピストン４の往動に伴って、リボルバー８１は、第２のばね８２の付勢力により、第２の原位置Ｘ２からケーシング１の他端部１ｂ方向に往動する。
【００５１】
また、リセットブロック９３をケーシング１の内部に押し込む動作に連動して、回動駆動機構９０のラチェットレバー９１ａが上昇し、ラチェット歯車８６を一定角度θ回動させる。これにより、リボルバー８１も一定角度θ回動するので、アンプル取着部２に対向する第１の段部８７ａが、第２の段部に切り換わる。これにより、アンプルＡのプランジャーロッドＡ２を、アンプル取着部２を通してケーシング１内に導入して、アンプルＡをアンプル取着部２に取り付けることができる。
リセットブロック９３は、リボルバー８１が一定角度θ回動した後、その押圧を解除して原位置に戻す。
【００５２】
アンプルＡをアンプル取着部２に取り付けた状態で、アンプルＡの先端を投与部位に押し当て、この状態で、ロック機構７の第５のばね７３の付勢力に抗して押しボタン７４を押すと、ロックレバー７１のロック爪７１ａとピストン４のロック溝７２との係合が解除される。すると、ピストン４が第１のばね６の付勢力によって弾撥的に復動し、この復動に追従してリボルバー８１も復動して、第２の原位置Ｘ２に復帰する。これにより、第２の段部がプランジャーロッドＡ２の端面を押圧して、プランジャーロッドＡ２を段部８７の段差Ｌに相当するストロークだけアンプルＡ内に押し込むことができる。その結果、アンプルＡ内の薬剤の一部を、アンプルＡ先端から噴射して皮下組織層に投与することができる。
以後、前記動作を繰り返すことにより、アンプルＡ内の薬剤を間欠的に噴射させることができる。
【００５３】
前記実施形態に係る無針注射器によれば、アンプルＡに収容した薬液を、少量ずつ繰り返し投与することができるので、アンプルＡの先端部を押し当てる部位を適宜移動させることにより、薬液を広範囲にわたって投与することができる。
しかも、リセットブロック９３をケーシング１内に押し込むだけで、リボルバー８１の回動と、ピストン４及びリボルバー８１の往動とを行うことができるので、薬剤を投与するための操作が容易である。
また、従来の無針注射器を用いた場合、薬液を投与する部位によっては、薬液が過剰に投与されることがある。しかし、前記実施形態に係る無針注射器によれば、薬液を投与する量を選択できるので、薬液が過剰に投与されるのを抑制することができる。
【００５４】
一方、従来の無針注射器において、ピストンを往復移動させるために、電動モータを用いることが考えられる。この場合、電動モータの駆動を制御することにより、ピストンを間欠的に移動させることができる。しかし、この場合には、電動モータのほかに、これを駆動するためのバッテリーや、電動モータの回転運動をピストンの往復運動に変換するための機構等が必要となる。このため、無針注射器が大型化するとともに重量が重くなり、携行に適さなくなるという問題が生じる。この点、前記実施形態に係る無針注射器は、ピストン４を機械的に移動させるものであり、モータやバッテリーが不要であるので、携行に適するものとなる。
【００５５】
この発明に係る無針注射器は、前記実施形態に限定されるものではなく、例えば、ピストン往動機構５として、前記カム機構５１に代えてリンク機構を採用すること、リボルバー８１の段部８７の数を適宜増減すること等、種々変更して実施することができる。
【符号の説明】
【００５６】
１      ケーシング
２      アンプル取着部
３      シリンダ
４      ピストン
５      ピストン往動機構
５１    カム機構
６      第１のばね
７      ロック機構
８      押し込み機構
８１    リボルバー
８２    第２のばね
８６    ラチェット歯車
８６ａ  ラチェット歯
８７    段部（押圧部）
９０    回動駆動機構
９１    ラチェット機構
９１ａ  ラチェットレバー
９２    ラチェット操作部
９３    リセットブロック
Ａ      アンプル
Ａ１    プランジャー
Ａ２    プランジャーロッド
１ａ    ケーシングの一端部
１ｂ    ケーシングの他端部
Ｘ１    第１の原位置
Ｘ２    第２の原位置
【図１】
2020179038.tif 000003
【図２】
2020179038.tif 000004
【図３】
2020179038.tif 000005
【図４】
2020179038.tif 000006
【図５】
2020179038.tif 000007
【図６】
2020179038.tif 000008
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
一端側がアンプルから突出しているプランジャーロッドを、アンプル内に押し込むことにより、アンプルに収容した薬液を、アンプルの先端から噴射させる無針注射器であって、
筒状のケーシングと、
前記ケーシングの一端部に設けられ、前記プランジャーロッドの一端側を前記ケーシングの内部に導入した状態で、前記アンプルを取り付けるアンプル取着部と、
軸線をケーシングの軸線に沿わせた状態で当該ケーシングの内部に設けられたシリンダと、
前記シリンダの内部に挿入され、当該シリンダの軸方向に沿って往復移動可能なピストンと、
前記ピストンを、第１の原位置から前記ケーシングの他端部方向へ一定ストローク往動させるピストン往動機構と、
前記ピストン往動機構によって往動された前記ピストンを、前記第１の原位置に復動させる第１のばねと、
前記ピストンを、往動された位置にロックし、このロックを解除すると、前記ピストンが第１の原位置に復動するのを許容するロック機構と、
前記ピストンが復動する毎に、前記プランジャーロッドを一定ストロークずつ間欠的にアンプル内に押し込む押し込み機構と、を備え、
前記押し込み機構は、
前記シリンダの内部に往復移動可能に挿入され、前記ピストンの往動に伴って第２の原位置からケーシングの他端部方向へ一定ストローク往動し、前記ピストンの復動に伴って前記第２の原位置へ復動するリボルバーと、
前記リボルバーが所定ストローク往動した状態で、当該リボルバーを一定角度ずつ回動させる回動駆動機構と、を備え、
前記リボルバーは、前記回動駆動機構によって一定角度ずつ回動する毎に、前記ケーシングの内部に導入されたプランジャーロッドの端面を順次押圧して、当該プランジャーロッドをアンプル内に間欠的に押し込む複数の押圧部を有する無針注射器。
【請求項２】
前記複数の押圧部は、螺旋階段状に配置した複数の段部からなる請求項１に記載の無針注射器。
【請求項３】
前記回動駆動機構は、
前記ケーシングの内部に設けられ、前記一定角度毎に複数のラチェット歯を有するラチェット歯車と、前記ラチェット歯に噛み合うラチェット爪とを備えるラチェット機構と、
前記ラチェット歯車を、ケーシングの外部から一定角度ずつ回動させるラチェット操作部と、を備える請求項１又は請求項２に記載の無針注射器。
【請求項４】
前記ラチェット歯車が、リボルバーに形成されている請求項３に記載の無針注射器。
【請求項５】
前記ラチェット操作部は、
一部がケーシングの外部に露出するリセットブロックと、前記リセットブロックをケーシングの内部に押し込む毎に、前記ラチェット歯車を一定角度ずつ回動させるラチェットレバーとを有する請求項３又は請求項４に記載の無針注射器。
【請求項６】
前記ピストン往動機構は、前記リセットブロックをケーシングの内部に押し込む動作を、前記ピストンを往動させる動作に変換するカム機構を有する請求項５に記載の無針注射器。
【手続補正２】
【補正対象書類名】明細書
【補正対象項目名】０００６
【補正方法】変更
【補正の内容】
【０００６】
この発明に係る無針注射器は、一端側がアンプルから突出しているプランジャーロッドを、アンプル内に押し込むことにより、アンプルに収容した薬液を、アンプルの先端から噴射させる無針注射器であって、
筒状のケーシングと、
前記ケーシングの一端部に設けられ、前記プランジャーロッドの一端側を前記ケーシングの内部に導入した状態で、前記アンプルを取り付けるアンプル取着部と、
軸線をケーシングの軸線に沿わせた状態で当該ケーシングの内部に設けられたシリンダと、
前記シリンダの内部に挿入され、当該シリンダの軸方向に沿って往復移動可能なピストンと、
前記ピストンを、第１の原位置から前記ケーシングの他端部方向へ一定ストローク往動させるピストン往動機構と、
前記ピストン往動機構によって往動された前記ピストンを、前記第１の原位置に復動させる第１のばねと、
前記ピストンを、往動された位置にロックし、このロックを解除すると、前記ピストンが第１の原位置に復動するのを許容するロック機構と、
前記ピストンが復動する毎に、前記プランジャーロッドを一定ストロークずつ間欠的にアンプル内に押し込む押し込み機構と、を備え、
前記押し込み機構は、
前記シリンダの内部に往復移動可能に挿入され、前記ピストンの往動に伴って第２の原位置からケーシングの他端部方向へ一定ストローク往動し、前記ピストンの復動に伴って前記第２の原位置へ復動するリボルバーと、
前記リボルバーが所定ストローク往動した状態で、当該リボルバーを一定角度ずつ回動させる回動駆動機構と、を備え、
前記リボルバーは、前記回動駆動機構によって一定角度ずつ回動する毎に、前記ケーシングの内部に導入されたプランジャーロッドの端面を順次押圧して、当該プランジャーロッドをアンプル内に間欠的に押し込む複数の押圧部を有している。
【手続補正３】
【補正対象書類名】明細書
【補正対象項目名】０００８
【補正方法】変更
【補正の内容】
【０００８】
この状態で、ピストンのロックを解除すると、第１のばねの付勢力によって、ピストンを第１の原位置へ復動させることができる。このピストンが復動する毎に、押し込み機構は、プランジャーロッドを一定ストロークずつ間欠的にアンプル内に押し込むことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
より詳しくは、前記ピストンの往動に伴って、リボルバーを第２の原位置から往動させることができる。また、前記ピストンの復動に伴って、往動させたリボルバーを、第２の原位置へ復動させることができる。このリボルバーの復動により、プランジャーロッドの端面に対向する押圧部によって、プランジャーロッドを一定ストロークアンプル内に押し込むことができる。
【手続補正６】
【補正対象書類名】明細書
【補正対象項目名】００１１
【補正方法】変更
【補正の内容】
【００１１】
次に、前記リボルバーが所定ストローク往動した状態で、回動駆動機構により、当該リボルバーを一定角度回動させることができる。これにより、前記プランジャーロッドの端面に対向する押圧部を、これに隣接する押圧部に切り換えることができる。
以後、前記動作を繰り返すことにより、前記プランジャーロッドをアンプル内に間欠的に押し込むことができる。
したがって、アンプルに収容された薬液を少量ずつ繰り返し投与することができる。
【手続補正７】
【補正対象書類名】明細書
【補正対象項目名】００３５
【補正方法】変更
【補正の内容】
【００３５】
図４を参照して、回動駆動機構９０は、リボルバー８１に設けられたラチェット歯車８６と、このラチェット歯車８６の各ラチェット歯８６ａに噛み合うラチェット爪９４とを有するラチェット機構９１と、ラチェット歯車８６をケーシング１の外部から一定角度θずつ回動させるラチェット操作部９２とを備えている。